【手続補正書】
【提出日】平成25年6月28日(2013.6.28)
【手続補正１】
【補正対象書類名】特許請求の範囲
【補正対象項目名】全文
【補正方法】変更
【補正の内容】
【特許請求の範囲】
【請求項１】
装置本体と、
前記装置本体に開閉自在に支持される扉部と、
前記扉部に可動に取り付けられ、シートが搬送されるシート搬送路を形成する搬送ガイド部と、
前記扉部が開いた状態で、前記シート搬送路を開放した位置に前記搬送ガイド部を保持する保持部と、
前記シート搬送路を開放した位置に保持された前記搬送ガイド部を閉鎖させるように、前記扉部の閉じ動作に連動するリンク部と、を備えた、
ことを特徴とするシート搬送装置。
【請求項２】
前記リンク部は、前記装置本体と係合する第１係合部と、前記搬送ガイド部に連結された被係合部と係合する第２係合部と、を有し、
前記扉部が閉じられる際に前記第１係合部が前記装置本体と係合することによって、前記第２係合部が前記被係合部を押圧して前記搬送ガイド部の保持状態を解除して前記搬送ガイド部を閉鎖させるように、前記扉部の閉じ動作に前記リンク部が連動する、
ことを特徴とする請求項１に記載のシート搬送装置。
【請求項３】
前記保持部は、前記搬送ガイド部を開放する第１方向又は前記第１方向と反対の第２方向に前記搬送ガイド部を付勢する付勢部を有し、
前記付勢部は、前記搬送ガイド部が前記扉部に対して所定角度以下にある場合には、前記搬送ガイド部を前記第２方向に付勢する、
ことを特徴とする請求項１又は２に記載のシート搬送装置。
【請求項４】
前記扉部の閉じ動作の過程で、前記付勢部が前記第２方向に前記搬送ガイド部を付勢させる位置まで前記リンク部によって前記搬送ガイド部が移動される、
ことを特徴とする請求項３に記載のシート搬送装置。
【請求項５】
前記扉部の装置本体に対する開放角度が所定の開放角度未満では、前記リンク部が、前記扉部に対する前記搬送ガイド部の角度を前記所定角度未満に規制する、
ことを特徴とする請求項３又は４に記載のシート搬送装置。
【請求項６】
前記保持部は、前記搬送ガイド部を、閉じ位置の方向および前記シート搬送路が開放される位置の方向へ付勢するトグルバネを含み、前記保持部は前記トグルバネの付勢力によって前記シート搬送路が開放された位置に前記搬送ガイドを保持し、
前記装置本体に前記扉部を閉じる動作に連動して、前記トグルバネの付勢力が前記搬送ガイド部を閉じる方向に作用する位置まで前記搬送ガイド部を前記リンク部が動かす、
ことを特徴とする請求項１乃至５のいずれか１項に記載のシート搬送装置。
【請求項７】
前記搬送ガイド部は、前記扉部の回転軸と直交する方向に延びる回転軸により前記扉部に回動自在に支持される、
ことを特徴とする請求項１乃至６のいずれか１項に記載のシート搬送装置。
【請求項８】
前記保持部は、前記搬送ガイド部に連結される第１被係合部と、前記扉部に連結され、前記第１被係合部を保持する第２被係合部と、を有し、
前記リンク部は、前記扉の閉じ動作に伴って、前記第２被係合部を押圧して前記搬送ガイド部に連結される前記第１被係合部の保持状態を解除する、
ことを特徴とする請求項１に記載のシート搬送装置。
【請求項９】
装置本体と、
回動自在に前記装置本体に支持された扉部と、
前記扉部に可動に取り付けられ、シートが搬送されるシート搬送路を形成する搬送ガイドと、
前記搬送ガイドとは独立に可動に設けられ、前記装置本体と係合することによって前記シート搬送路を開放した位置に保持された前記搬送ガイドを閉じさせるように前記扉部の閉じ動作に伴って連動する連動部と、を有する、
ことを特徴とするシート搬送装置。
【請求項１０】
前記連動部は、前記扉部の回動中心の近傍に、可動に設けられる、
ことを特徴とする請求項９に記載のシート搬送装置。
【請求項１１】
前記扉部が開いた状態で前記シート搬送路を開放した位置に前記搬送ガイドを保持する保持部を備え、
前記連動部は、前記装置本体と前記搬送ガイドとに係合する、
ことを特徴とする請求項９又は１０に記載のシート搬送装置。
【請求項１２】
前記扉部が開いた状態で前記シート搬送路を開放した位置に前記搬送ガイドを保持する保持部を備え、
前記連動部は、前記装置本体に配置されている回動自在な部材と、前記保持部とに係合し、前記扉部の閉じ動作に伴って、前記保持部が前記搬送ガイドの保持を解除するように前記保持部を移動させる、
ことを特徴とする請求項９に記載のシート搬送装置。
【請求項１３】
装置本体と、
前記装置本体に移動自在に支持された扉部と、
前記扉部に可動に取り付けられ、シートが搬送されるシート搬送路を形成する搬送ガイドと、
前記搬送ガイドが前記扉部に対して所定角度以上開いている場合には、前記搬送ガイドを開く第１方向に前記搬送ガイドを付勢し、前記搬送ガイドの搬送ユニットに対する開き角度が前記所定角度未満である場合には、前記第１方向と反対であって前記搬送ガイドを閉じる第２方向に前記搬送ガイドを付勢するバネと、
前記扉部の閉じ動作に連動する連動部と、を備え、
前記連動部は、前記装置本体と係合する第１係合部と、前記搬送ガイドと係合する第２係合部と、を有し、
前記第２係合部が前記搬送ガイドを前記搬送ガイドの前記搬送ユニットに対する開き角度が前記所定角度未満となるように移動させるように、前記扉部を閉じる動作に伴って前記第１係合部が前記装置本体と係合することによって前記連動部が連動する、
ことを特徴とするシート搬送装置。
【請求項１４】
請求項１乃至１３のいずれか１項に記載のシート搬送装置と、
前記シート搬送装置から送り出されたシートに画像を形成する画像形成部と、を備えた、
ことを特徴とする画像形成装置。
【手続補正２】
【補正対象書類名】明細書
【補正対象項目名】０００８
【補正方法】変更
【補正の内容】
【０００８】
本発明は、装置本体と、前記装置本体に開閉自在に支持される扉部と、前記扉部に可動に取り付けられ、シートが搬送されるシート搬送路を形成する搬送ガイド部と、前記扉部が開いた状態で、前記シート搬送路を開放した位置に前記搬送ガイド部を保持する保持部と、前記シート搬送路を開放した位置に保持された前記搬送ガイド部を閉鎖させるように、前記扉部の閉じ動作に連動するリンク部と、を備えたことを特徴とする。
【手続補正３】
【補正対象書類名】明細書
【補正対象項目名】００２５
【補正方法】変更
【補正の内容】
【００２５】
図３（ａ）から図４に示すように、第１扉部７は、プリンタ本体２を開閉する扉部としての第１扉７０と、反転パス４２を形成する搬送ガイド部としての反転パスガイド７１と、反転パスガイド７１に連結される被係合部７２と、を備える。また、第１扉部７は、閉じ動作の過程で反転パスガイド７１を付勢する付勢部としてのトグルバネ７３と、第１扉７０の開閉動作に連動する連動部としてのリンク部７４と、を備える。トグルバネ７３及び被係合部７２は、ユーザが手を離しても反転パスガイド７１を、反転パス４２を開放するような開放位置で維持できるように保持する（以下、「自立保持」ともいう）保持部を構成する。
【手続補正４】
【補正対象書類名】明細書
【補正対象項目名】００３０
【補正方法】変更
【補正の内容】
【００３０】
図４に示すように、リンク部７４は、第１リンク部７５と、第２リンク部７６と、第３リンク部７７と、を備える。第１リンク部２１は、略Ｌ字状に形成されており、中間部７５ａと、中間部７５ａから延出する第２係合部としての第１腕部７５ｂと、中間部７５ａから延出する第２腕部７５ｃと、を備える。第１リンク部２１は、中間部７５ａを中心に第１扉７０に回動自在に支持されている。第１腕部７５ｂは、反転パスガイド７１を閉じた状態における被係合部７２の上方に配置されている（図４参照）。また、図５（ａ）に示すように、第１腕部７５ｂは、第１扉７０を開けて、第１リンク部２１が中間部７５ａを中心に回動した場合に、被係合部７２の位置を規制しない位置に退避可能に形成されている。更に、図５（ｂ）に示すように、第１腕部７５ｂは、所定の位置で反転パスガイド７１の開放時における被係合部７２と係合可能に形成されている。
【手続補正５】
【補正対象書類名】明細書
【補正対象項目名】００３１
【補正方法】変更
【補正の内容】
【００３１】
第３リンク部７７は、一端部が回動軸７７ａを中心にして第１扉７０に回動自在に取り付けられている。また、第３リンク部７７の一端部には、コイルばね７７ｂが取り付けられており、コイルばね７７ｂは、第３リンク部７７を平面視時計回り（図４に示すＲ３方向をいい、以下、「第３方向Ｒ３」ともいう）に付勢する。また、第３リンク部７７は、他端部側に第１扉７０に当接する第１係合部としての当接部７７ｃを備える。第２リンク部７６は、一端部が第１リンク部２１の第２腕部７５ｃの端部と回動自在に連結され、他端部が第３リンク部７７の他端部とに回動自在に連結されている。つまり、第２リンク部７６は、第１リンク部７５と第３リンク部７７とを回動自在に連結する。
【手続補正６】
【補正対象書類名】明細書
【補正対象項目名】００４４
【補正方法】変更
【補正の内容】
【００４４】
第２被係合部８３は、回転軸８２ａを中心に第６方向Ｒ６に回転した第１被係合部８２を保持する凹部８３ａと、回転軸８２ａと平行に延びる回転軸８３ｂと、リンク部８４に押圧される被押圧部８３ｃと、を備える。凹部８３ａは、回転軸８３ｂの上方における一方側の側面に設けられている。被押圧部８３ｃは、回転軸８３ｂの下方側における他方側の側面に設けられている。また、第２被係合部８３は、不図示のばねによって時計回りの方向に付勢されている。第２被係合部８３は、凹部８３ａが第１被係合部８２を保持することにより、第１被係合部８２に連結された両面搬送パスガイド８１を保持する。一方、第２被係合部８３は、回転軸８３ｂを中心に第６方向Ｒ６に回転することにより、凹部８３ａによる第１被係合部８２の係止（保持）を解除する。